(57)【要約】【課題】それぞれウオッチドッグ監視機能を内蔵する複数の機器コントローラを制御ＣＰＵにより制御するに際して簡素な回路変更負担により各機器コントローラを同一回路構成とすることが可能な車載機器制御装置を提供すること。【解決手段】ウオッチドッグ回路部５を内蔵するエアバッグ制御ＩＣ１は制御ＣＰＵ３にリセット信号を出力すると同時に他のエアバッグ制御ＩＣ２の機器制御回路部７にクリア信号を送出し、エアバッグ制御ＩＣ２のウオッチドッグ回路部５のリセット信号及びクリア信号をなすウオッチドッグ信号の出力は、外部からの切り替え信号により動作するウオッチドッグ信号出力切り替え回路部９によりブロックされるなどの方法により、制御ＣＰＵ３や各機器制御回路部７に出力されない。【選択図】図１
2008100576.tif 000002
【特許請求の範囲】
【請求項１】
複数の車載機器を制御するためICからなる制御ＣＰＵと、
通信手段を通じて前記制御ＣＰＵから受信した命令に従って前記各車載機器の少なくとも一つを制御するICからなる第１の機器コントローラと、
通信手段を通じて前記制御ＣＰＵから受信した命令に従って前記各車載機器の少なくとも他の一つを制御するICからなる第２の機器コントローラと、
を備え、
前記第１、第２機器コントローラはそれぞれ、
前記制御ＣＰＵの暴走を監視するウオッチドッグ監視機能を有してCPU暴走検出時に前記制御ＣＰＵをリセットさせるため、かつ、内部の機器制御回路部の状態を所定状態に復帰させるためのウオッチドッグ信号を創成するウオッチドッグ回路部と、
前記ウオッチドッグ信号を前記制御ＣＰＵのリセット信号入力端子に出力するためのリセット端子と、
を有する車載機器制御装置において、
前記第１の機器コントローラ及び第２の機器コントローラはそれぞれ、
前記リセット端子と前記内部の機器制御回路部とを接続するクリア信号用配線部と、
前記ウオッチドッグ回路部から前記リセット端子への前記ウオッチドッグ信号の送出の是非を実質的に決定するウオッチドッグ信号出力切り替え回路部と、
前記ウオッチドッグ信号出力切り替え回路部の動作を外部から指定するための切り替え信号が入力される切り替え信号入力端子と、
を有し、
前記両機器コントローラの前記リセット端子は互いに接続され、
前記両機器コントローラの前記切り替え信号入力端子は、互いに異なる状態の前記切り替え信号を受け取るとことを特徴とする車載機器制御装置。
【請求項２】
請求項１記載の車載機器制御装置において、
前記両機器コントローラの前記切り替え信号入力端子の一方には接地電位が印加され、
前記両機器コントローラの前記切り替え信号入力端子の他方には、電源電位が印加される車載機器制御装置。
【請求項３】
複数の車載機器を制御するためICからなる制御ＣＰＵと、
通信手段を通じて前記制御ＣＰＵから受信した命令に従って前記各車載機器の少なくとも一つを制御するICからなる第１の機器コントローラと、
通信手段を通じて前記制御ＣＰＵから受信した命令に従って前記各車載機器の少なくとも他の一つを制御するICからなる第２の機器コントローラと、
を備え、
前記第１、第２機器コントローラはそれぞれ、
前記制御ＣＰＵの暴走を監視するウオッチドッグ監視機能を有してCPU暴走検出時に前記制御ＣＰＵをリセットさせるため、かつ、内部の機器制御回路部の状態を所定状態に復帰させるためのウオッチドッグ信号を創成するウオッチドッグ回路部と、
前記ウオッチドッグ信号を前記制御ＣＰＵのリセット信号入力端子に出力するためのリセット端子と、
を有する車載機器制御装置において、
前記第１の機器コントローラ及び第２の機器コントローラはそれぞれ、
外部から入力される前記ウオッチドッグ信号を前記内部の機器制御回路部に伝送するクリア端子を有し、
前記各機器コントローラのクリア端子は、前記制御ＣＰＵのリセット端子にそれぞれ接続され、
前記第１の機器コントローラの前記リセット端子は前記クリア端子に接続され、
前記第２の機器コントローラの前記リセット端子は前記クリア端子に接続されないことを特徴とする車載機器制御装置。
【請求項４】
請求項１乃至３のいずれか記載の車載機器制御装置において、
前記各機器コントローラは、それぞれ電源電圧を監視して前記電源電圧が所定しきい値よりも低下或いは上昇した場合に自己の前記機器制御回路部の動作を実質的に停止させる電源電圧監視回路部を有する車載機器制御装置。
【発明の詳細な説明】
【技術分野】
【０００１】
本発明は、ウオッチドッグ監視機能をそれぞれ内蔵する車載機器制御用の機器コントローラを複数有する車載機器制御装置におけるウオッチドッグ監視機能の選択使用方式の改善に関する。
【背景技術】
【０００２】
制御ＣＰＵの暴走を監視するためのウオッチドッグ監視機能をもつエアバッグ制御装置が下記の特許文献１がなどに記載されている。このエアバッグ制御装置は、ウオッチドッグ監視回路の他、電源電圧監視回路、エアバッグ展開用のスクィブ駆動回路や定電源電圧発生回路などを内蔵してエアバッグ制御ICを有している。
【０００３】
それぞれ異なるエアバッグを展開制御する複数の各エアバッグ制御ＩＣを一つのエアバッグ制御用の制御ＣＰＵで制御することが従来より行われている。以下、この場合のウオッチドッグ監視方式を図５を参照して説明する。
【０００４】
１００は制御ＣＰＵ、１０１は第１のエアバッグ制御ＩＣ、１０２は第２のエアバッグ制御ＩＣであり、エアバッグ制御ＩＣ１０１、１０２はそれぞれ異なるエアバッグを展開制御する。エアバッグ制御ＩＣ１０１、１０２はそれぞれ、制御ＣＰＵの暴走を監視するウオッチドッグ回路部１０３と、電源電圧を監視する電源電圧監視回路部１０４と、エアバッグ展開用のスクィブ駆動回路を含む機器制御回路部１０５とを有している。
【０００５】
第１のエアバッグ制御ＩＣ１０１のウオッチドッグ回路部１０３は、制御ＣＰＵ１００のプログラム実行状態を示すパルス信号SPIが制御ＣＰＵ１００から所定時間入力しないか所定周期よりも早い場合に制御ＣＰＵ１００の暴走と判定して制御ＣＰＵ１００にリセット信号ＲＥＳＥＴを内部の機器制御回路部１０５にクリア信号ＣＬＲを出力する。以下、この明細書では、リセット信号ＲＥＳＥＴ及びクリア信号ＣＬＲに相当する信号をウオッチドッグ信号とも称するものとする。なお、クリア信号ＣＬＲとは、エアバッグ制御ＩＣ１０１、１０２の内部をリセットするための内部リセット信号を意味し、リセット信号ＲＥＳＥＴとは制御ＣＰＵ１００をリセットするための外部リセット信号を意味する。
【０００６】
第２のエアバッグ制御ＩＣ１０２のウオッチドッグ回路部１０３は、制御ＣＰＵ１００のプログラム実行状態を示すパルス信号SPIが制御ＣＰＵ１００から所定時間入力しないか所定周期よりも早い場合に制御ＣＰＵ１００の暴走と判定して内部の機器制御回路部１０５にだけクリア信号ＣＬＲを出力する。
【０００７】
第１のエアバッグ制御ＩＣ１０１のウオッチドッグ回路部１０３は、所定期間内におけるパルス信号であるウオッチドッグ信号の出力回数が８回に達すると、ウオッチドッグ信号をラッチしてウオッチドッグ信号を常時出力する状態に移行する。
【０００８】
ただし、エアバッグ制御ＩＣ１０１、１０２を同一回路構成のICとすると、第２のエアバッグ制御ＩＣ１０１のウオッチドッグ回路部１０３が上記と同様のラッチを行うと、第１のエアバッグ制御ＩＣ１０１のウオッチドッグ回路部１０３がラッチ状態となる前に第２の機器コントローラが内部ラッチ状態となった場合に、その機器制御回路部１０５の状態がリセット状態に固定されてしまい回復できないという不具合が生じてしまう。つまり、第１のエアバッグ制御ＩＣ１０１はウオッチドッグ回路部１０３によるラッチがまだ生じていないにも拘わらず、第２のエアバッグ制御ＩＣ１０２はウオッチドッグ回路部１０３によるラッチに陥ってしまうという不具合が生じる。
【０００９】
このため、図５に示す従来のエアバッグ制御装置では、エアバッグ制御ＩＣ１０１のウオッチドッグ回路部１０３はラッチ有効とするものの、それ以外のエアバッグ制御ＩＣ（たとえば１０２）のウオッチドッグ回路部１０３はすべてラッチ無効としている。
【特許文献１】特開２００６−５６４４１号公報
【発明の開示】
【発明が解決しようとする課題】
【００１０】
しかしながら、このようにエアバッグ制御ＩＣ１０１とそれ以外のエアバッグ制御ＩＣとでウオッチドッグ回路部１０３のラッチの有効、無効を変化させるためには、エアバッグ制御ＩＣ１０１のＩＣ内配線パターンを決定するマスクと、それ以外のエアバッグ制御ＩＣ（たとえば１０２）のＩＣ内配線パターンを決定するマスクとを変更する必要が生じる。
【００１１】
このため、複数のエアバッグ制御ＩＣ１０１、１０２を制御ＣＰＵ１００により制御する従来のエアバッグ制御装置では、エアバッグ制御ＩＣとして２種類のICを製造せねばならず、部品点数の増大や製造工数の増大を招き、部品管理も煩雑化した。
【００１２】
本発明は上記問題点に鑑みなされたものであり、それぞれウオッチドッグ監視機能を内蔵する複数の機器コントローラを制御ＣＰＵにより制御するに際して簡素な回路変更負担により各機器コントローラを同一回路構成とすることが可能な車載機器制御装置を提供することをその目的としている。
【課題を解決するための手段】
【００１３】
上記課題を解決するための第１、第２発明の車載機器制御装置は、複数の車載機器を制御するためICからなる制御ＣＰＵと、通信手段を通じて前記制御ＣＰＵから受信した命令に従って前記各車載機器の少なくとも一つを制御するICからなる第１の機器コントローラと、通信手段を通じて前記制御ＣＰＵから受信した命令に従って前記各車載機器の少なくとも他の一つを制御するICからなる第２の機器コントローラとを備え、前記第１、第２機器コントローラはそれぞれ前記制御ＣＰＵの暴走を監視するウオッチドッグ監視機能を有してCPU暴走検出時に前記制御ＣＰＵをリセットさせるため、かつ、内部の機器制御回路部の状態を所定状態に復帰させるためのウオッチドッグ信号を創成するウオッチドッグ回路部と、前記ウオッチドッグ信号を前記制御ＣＰＵのリセット信号入力端子に出力するためのリセット端子とを有している。
【００１４】
ここで言うウオッチドッグ信号は、制御ＣＰＵを初期化するリセット信号、及び、自己のIC内の機器制御回路部の作動禁止や初期化のためのクリア信号として機能する。ウオッチドッグ回路部は、従来同様、制御ＣＰＵ１００のプログラム実行状態を示すパルス信号SPIが制御ＣＰＵ１００から所定時間入力されないか所定周期よりも早いことを異常と検出してウオッチドッグ信号を出力するが、ウオッチドッグ信号が所定期間内に所定回数出力される場合に、ウオッチドッグ信号をラッチして継続出力するものとすることが好適である。以下、この動作モードのウオッチドッグ回路部をラッチ型ウオッチドッグ回路部とも言うものとする。
【００１５】
機器制御回路部は、外部の機器駆動制御用のアクチエータを制御するが、アクチエータを駆動制御する外部回路に駆動制御信号を出力するようにしてもよい。
【００１６】
第１発明の車載機器制御装置は特に、前記第１の機器コントローラ及び第２の機器コントローラはそれぞれ、前記リセット端子と前記内部の機器制御回路部とを接続するクリア信号用配線部と、前記ウオッチドッグ回路部から前記リセット端子への前記ウオッチドッグ信号の送出の是非を実質的に決定するウオッチドッグ信号出力切り替え回路部と、前記ウオッチドッグ信号出力切り替え回路部の動作を外部から指定するための切り替え信号が入力される切り替え信号入力端子とを有し、前記両機器コントローラの前記リセット端子は互いに接続され、前記両機器コントローラの前記切り替え信号入力端子は、互いに異なる状態の前記切り替え信号を受け取るとことを特徴としている。
【００１７】
すなわち、この発明は、複数の機器コントローラの一つ（以下、マスターコントローラとも言うものとする）は、そのリセット端子を通じてウオッチドッグ信号を制御ＣＰＵへＣＰＵ暴走禁止のために送信し、自己の機器制御回路部へ初期状態回帰のために従来同様に出力する。本発明では特に、すべての機器コントローラのリセット端子を接続することにより、上記マスターコントローラのウオッチドッグ信号を他の機器コントローラのウオッチドッグ信号出力用のリセット端子を通じて他の機器コントローラの機器制御回路部にそれらの初期状態回帰のために出力する。これにより、すべての機器コントローラは、一つのウオッチドッグ回路部で制御ＣＰＵのリセットとすべての機器制御回路部の一斉初期状態回帰を簡単な外部配線により実現することができる。これにより、制御ＣＰＵの暴走が生じても、制御ＣＰＵ及びすべての機器制御回路部はタイミング誤差なく一斉に初期状態回帰などの所定状態への移行を行うことができる。
【００１８】
更に、この発明の各機器コントローラは、自己のウオッチドッグ回路部からそのリセット端子へのウオッチドッグ信号の出力の是非を実質的に制御可能なウオッチドッグ信号出力切り替え回路部と、このウオッチドッグ信号出力切り替え回路部の動作を規定するための切り替え信号入力端子とをもつため、切り替え信号入力端子への入力状態を外部配線で決定することにより、すべての機器コントローラを同回路構造のICチップにより実現することができるため、部品点数の削減及びIC製造コストの低減も実現することができる。
【００１９】
なお、ウオッチドッグ信号出力切り替え回路部は、切り替え信号入力端子に定常的に印加される直流電位のレベルによりウオッチドッグ信号のリセット端子への送出の是非を決定することができるが、ウオッチドッグ信号出力切り替え回路部が不揮発メモリやヒューズ回路などの記憶機能をもつ場合には切り替え信号入力端子を通じての出荷時の書き込みによりウオッチドッグ信号出力切り替え回路部の作動状態を決定することができる。
【００２０】
好適な態様において、前記両機器コントローラの前記切り替え入力端子の一方には接地電位が印加され、前記両機器コントローラの前記切り替え入力端子の他方には、電源電位が印加される。これにより、好適には、各機器コントローラが実装されるプリント基板の配線パターンにより各機器コントローラの切り替え信号入力端子への入力電位を決定することができ、切り替え信号の創成を簡素に行うことができる。
【００２１】
第２発明の車載機器制御装置は特に、すべての機器コントローラは、チップ外部の配線により制御ＣＰＵのリセット端子に接続されるクリア端子をもち、各クリア端子は、各機器コントローラチップ内部の機器制御回路部へのウオッチドッグ信号の入力端子に接続されている。また、各機器コントローラは、内部のウオッチドッグ回路部からウオッチドッグ信号が出力されるリセット端子をそれぞれもつ。
【００２２】
この発明では、複数の機器コントローラの一つ（以下、マスターコントローラとも言うものとする）のリセット端子のみが上記各クリア端子及び制御ＣＰＵのリセット端子に接続される。このようにすれば、上記した第１発明と同効果を更に簡素な回路構成にて実現することができる。すなわち、この発明によれば、各機器コントローラをなすＩＣチップは、内部にウオッチドッグ信号出力切り替え回路部をもつ必要がなく、どの機器コントローラのウオッチドッグ信号を制御ＣＰＵ及び各機器制御回路部に出力するかは、各機器コントローラをなすICのリセット端子の外部接続配線形態の変更のみで規定することができる。
【００２３】
好適な態様において、前記各機器コントローラは、それぞれ電源電圧を監視して前記電源電圧が所定しきい値よりも低下した場合に自己の前記機器制御回路部の動作を実質的に停止させる電源電圧監視回路部を有する。これにより、たとえば各機器コントローラのどれか一つへの電源電圧印加が大幅に低下してその機器制御回路部の動作が保証できない場合に、この電源電圧が低下した機器コントローラだけを作動停止させることができる。
【発明を実施するための最良の形態】
【００２４】
上記した本発明の好適実施形態を図面を参照して具体的に説明する。ただし、本発明は下記の実施形態に限定解釈されるべきではなく、本発明の技術思想を他の公知技術を組み合わせて実現してもよい。
【００２５】
（実施形態１）
本発明の車載機器制御装置の好適な実施形態１を図１を参照して説明する。図１は、車両用エアバッグ制御装置を示すブロック回路図である。
【００２６】
図１において、１は第１のエアバッグ制御ＩＣ、２は第２のエアバッグ制御ＩＣであり、エアバッグ制御ＩＣ１、２はそれぞれ異なるエアバッグ（図示せず）を展開制御する。３はエアバッグ制御用の制御ＣＰＵ、４はプリント基板であり、プリント基板４には、エアバッグ制御ＩＣ１、２及び制御ＣＰＵ３が実装されている。エアバッグ制御ＩＣ１、２は本発明で言う機器コントローラをなす。
【００２７】
エアバッグ制御ＩＣ１、２はそれぞれ、制御ＣＰＵ３の暴走を監視するウオッチドッグ回路部５と、電源電圧を監視する電源電圧監視回路部６と、エアバッグ展開用のスクィブ駆動回路を含む機器制御回路部７と、リセット端子Rと、クリア信号用配線部８と、ウオッチドッグ信号出力切り替え回路部９と、切り替え信号入力端子Cxとを有している。
【００２８】
制御ＣＰＵ３は、エアバッグ制御用のワンチップマイクロコンピュータであって、外部入力信号に基づいて複数のエアバッグの展開制御を行う。
【００２９】
プリント基板４は、制御ＣＰＵ３のリセット端子Ｒｃとエアバッグ制御ＩＣ１、２のリセット端子Ｒとを接続するリセット配線４１と、制御ＣＰＵ３の動作進行状態を表示するパルス信号SPIをエアバッグ制御ＩＣ１、２のウオッチドッグ回路部５に出力するSPI配線４２とを有している。
【００３０】
ウオッチドッグ回路部５は、ＳＰＩ配線４２を通じて制御ＣＰＵ３から受け取るパルス信号ＳＰＩが入力されるウオッチドッグタイマーを内蔵しており、このウオッチドッグタイマーは、そのタイムオーバーまでにパルス信号ＳＰＩが入力しない場合またはパルス信号ＳＰＩの入力周期が所定時間よりも短い場合にパルス信号形態のウオッチドッグ信号を出力する。このウオッチドッグ信号は、後述するように制御ＣＰＵ３をリセットするためのリセット信号及び機器制御回路部７を作動禁止し初期状態に復帰させるクリア信号ＣＬＲとして用いられる。更に、ウオッチドッグ回路部５は、所定期間内にウオッチドッグ信号の出力回数が８回に達したかどうかをカウントするウオッチドッグカウンタと、カウンタが８回に達した場合に８回目に出力するウオッチドッグ信号をラッチしてウオッチドッグ信号を常時出力する状態に移行させるラッチ回路も有している。この種のラッチ型ウオッチドッグ回路部はよく知られているため、これ以上の説明は省略する。
【００３１】
電源電圧監視回路部６は、エアバッグ制御ＩＣに印加される電源電圧を実質的に監視し、それが所定の許容電圧範囲から逸脱した場合に機器制御回路部７に作動禁止信号Maskを出力し、機器制御回路部７は作動禁止信号Ｍａｓｋが入力されるとそれが制御するアクチエータ（スクィブ）の作動を禁止する。
【００３２】
機器制御回路部７は、エアバッグ展開用のスクィブ駆動回路を含み、制御ＣＰＵ３からの指令に基づいてエアバッグ展開用のスクィブの作動を指令する。機器制御回路部７の種類及びアクチエータ動作自体は本発明の要旨ではないため、これ以上の詳細説明は省略する。
【００３３】
エアバッグ制御ＩＣ１、２のクリア信号用配線部８は、エアバッグ制御ＩＣ１、２のリセット端子Ｒと機器制御回路部７のクリア信号入力端子Ciとを接続するチップ内部のメタル配線からなり、リセット端子Ｒに入力されるクリア信号ＣＬＲを機器制御回路部７に入力する。
【００３４】
この実施形態では、ウオッチドッグ信号出力切り替え回路部９は、抵抗素子９１とゲート回路９２とを有している。抵抗素子９１は、所定抵抗値を有して切り替え信号入力端子Ｃｘの電位を接地している。ゲート回路９２は、ウオッチドッグ回路部５の出力端とクリア信号用配線部８との間に介設されている。ゲート回路９２は、切り替え信号入力端子Ｃｘの電位が所定値未満の低電位（好適にはほぼ接地電位）の場合にウオッチドッグ回路部５からクリア信号用配線部８へウオッチドッグ信号を出力させ、切り替え信号入力端子Ｃｘの電位が所定値以上の高電位の場合にウオッチドッグ回路部５からクリア信号用配線部８へのウオッチドッグ信号の出力を禁止する。この種のゲート回路は、トランスファスイッチの他、インバータ回路を２段用いるなど種々の公知回路により実現できるため、これ以上の詳細説明は省略する。
【００３５】
この実施形態では、エアバッグ制御ＩＣ１の切り替え信号入力端子Ｃｘは開放され、エアバッグ制御ＩＣ２の切り替え信号入力端子Ｃｘには電源電圧Vccが印加されている。これにより、エアバッグ制御ＩＣ１のウオッチドッグ回路部５はゲート回路９２を通じて、クリア信号用配線部８にウオッチドッグ信号を出力する。クリア信号用配線部８に出力されたウオッチドッグ信号は、制御ＣＰＵ３に出力されるリセット信号をなし、かつ、機器制御回路部７に出力されるクリア信号ＣＬＲをなす。また、エアバッグ制御ＩＣ２のウオッチドッグ回路部５はゲート回路９２がオフしているため、クリア信号用配線部８にウオッチドッグ信号を出力しない。これにより、エアバッグ制御ＩＣ１のウオッチドッグ回路部５だけが有効となって実質的に制御ＣＰＵ３及び各機器制御回路部７をウオッチドッグコントロールし、他のウオッチドッグ回路部５は実質的に無効となる。
【００３６】
つまり、既述したように、エアバッグ制御ＩＣ１のウオッチドッグ回路部５は、ＳＰＩ配線４２を通じて制御ＣＰＵ３から受け取るパルス信号ＳＰＩに基づいてウオッチドッグ信号を出力して制御ＣＰＵ３をリセットし、各機器制御回路部７を作動禁止し初期状態に復帰させる。更に、所定期間内のウオッチドッグ信号の出力回数が８回に達した場合にウオッチドッグ信号をラッチしてウオッチドッグ信号を常時出力し、制御ＣＰＵ３の再スタートを禁止し、各制御ＣＰＵ３を作動停止状態とする。なお、このラッチ状態からの回復は、たとえばエアバッグ制御ＩＣ１への電源電圧印加を解除し、再度電源電圧を印加するなどしてラッチを解除することにより行われる。
【００３７】
上記したこの実施例の車載機器制御装置は、切り替え信号入力端子Ｃｘの電圧状態をプリント基板４の配線状態により変更するだけで上記回路機能を実現でき、各エアバッグ制御ＩＣ１、２を同一チップ構造とすることができるという優れた利点をもつ。また、エアバッグ制御ＩＣ１、２の機器制御回路部７及び制御ＣＰＵ３を同一タイミングにてリセット・クリアすることができ、相互間のタイミングのずれによる不具合の発生を防止できる利点も享受することができる。
【００３８】
（変形態様１）
なお、抵抗素子９１を電源側に配置するハイサイド側抵抗素子とし、切り替え信号入力端子Ｃｘの接地の有無により切り替え信号を発生させてもよいことは明白である。
【００３９】
（変形態様２）
変形態様２を図２を参照して説明する。
【００４０】
この変形態様は、図１に示す実施形態において、ゲート回路９２を省略し、切り替え信号入力端子Ｃｘに入力された切り替え信号をウオッチドッグ回路部５に入力した点をその特徴としている。
【００４１】
ウオッチドッグ回路部５は、切り替え信号入力端子Ｃｘから入力された切り替え信号Sがハイレベルである場合に動作を行い、切り替え信号Ｓがローレベルである場合に動作を行わない。又は、その逆でもよい。このような切り替え信号Ｓによるウオッチドッグ回路部５の動作制御を行う回路は通常の技術者であれば問題なく容易に設計できるため、具体的な回路図示は省略する。この変形態様によれば、エアバッグ制御ＩＣ２のウオッチドッグ回路部５の消費電力を節減することができる。
【００４２】
（変形態様３）
変形態様３を図３を参照して説明する。
【００４３】
この変形態様は、図１に示す実施形態において、抵抗素子９１を省略し、エアバッグ制御ＩＣ１の切り替え信号入力端子Ｃｘを接地し、エアバッグ制御ＩＣ２の切り替え信号入力端子Ｃｘに電源電位Vccを印加した点をその特徴としている。このようにすれば、抵抗素子９１の消費電力を節減し、チップの回路構成を簡素化することができる。
【００４４】
（実施形態２）
本発明の車載機器制御装置の好適な実施形態２を図４を参照して説明する。図４は、車両用エアバッグ制御装置を示すブロック回路図である。
【００４５】
この実施形態は、図１のエアバッグ制御ＩＣ１、２から、ウオッチドッグ信号出力切り替え回路部９と切り替え信号入力端子Cxと省略し、その代わりにクリア端子CLを新設した点にその特徴がある。
【００４６】
エアバッグ制御ＩＣ１、２のクリア信号ＣＬＲは、リセット配線４１により制御ＣＰＵ３のリセット端子Rcに接続されている。エアバッグ制御ＩＣ１、２のリセット端子Ｒには、各ウオッチドッグ回路部５からウオッチドッグ信号が出力されるが、エアバッグ制御ＩＣ１のリセット端子Ｒのみが、配線４３によりリセット配線４１に接続されている。異なる観点に立って説明すると、リセット端子Ｒがクリア端子CLに接続されるエアバッグ制御ＩＣのウオッチドッグ回路部５のみが有効となる。
【００４７】
このようにすれば、実施形態１と同一効果を奏することができるうえ、エアバッグ制御ＩＣ１、２を構成するICチップ内の回路構成を簡素化することができる。
【図面の簡単な説明】
【００４８】
【図１】実施形態１の車載機器制御装置（エアバッグ制御装置）を示すブロック回路図である。
【図２】実施形態１の変形態様を示すブロック回路図である。
【図３】実施形態１の変形態様を示すブロック回路図である。
【図４】実施形態２の車載機器制御装置（エアバッグ制御装置）を示すブロック回路図である。
【図５】従来の車載機器制御装置（エアバッグ制御装置）を示すブロック回路図である。
【符号の説明】
【００４９】
１      エアバッグ制御ＩＣ
２      エアバッグ制御ＩＣ
３      制御ＣＰＵ
４      プリント基板
５      ウオッチドッグ回路部
６      電源電圧監視回路部
７      機器制御回路部
８      クリア信号用配線部
９      ウオッチドッグ信号出力切り替え回路部
４１      リセット配線
９１      抵抗素子
９２      ゲート回路
【図１】
2008100576.tif 000003
【図２】
2008100576.tif 000004
【図３】
2008100576.tif 000005
【図４】
2008100576.tif 000006
【図５】
2008100576.tif 000007